(57)【要約】【課題】  本考案は、設置場所の景観等に合った色の扉に簡単かつ低コストで変えることができる家庭用収容箱の扉を提供する。【解決手段】  郵便受箱の扉１０の扉本体１２の上面部２０と下面部２２には係止突起部２４が形成されている。これら係止突起部２４には傾斜面２４Ａが形成されている。扉本体１２の正面側には透視可能な扉カバー２６が配設されている。また、扉カバー２６の上面部３０と下面部３２には突起部嵌入孔３４が貫通形成されている。これら突起部嵌入孔３４には前記係止突起部２４が嵌入できるようになっている。扉本体１２と扉カバー２６の間にはカラーペーパー４０が配設されている。このカラーペーパー４０の上片部４２と下片部４４には突起部切欠４６が形成されている。【選択図】  図１
0003113469.tif 000002
【実用新案登録請求の範囲】
【請求項１】
家庭用収容箱の扉であって、この扉の扉本体の正面側に配設される透視可能な扉カバーと、この扉カバーの裏面側に窪んで形成されると共に前記扉本体が嵌入される扉本体嵌入部と、前記扉本体と扉カバーの間で前記扉本体と扉カバーに挟まれて配設されるカラーシートと、を有してなることを特徴とする家庭用収容箱の扉。
【請求項２】
家庭用収容箱の扉であって、この扉の扉本体の上面部と下面部に形成された係止突起部と、前記扉本体の正面側に配設される透視可能な扉カバーと、この扉カバーの裏面側に窪んで形成されると共に前記扉本体が嵌入される扉本体嵌入部と、この扉カバー体の上面部と下面部に形成されて前記扉本体の係止突起部が嵌入する突起部嵌入孔と、前記扉本体と扉カバーの間で前記扉本体と扉カバーに挟まれて配設されるカラーシートと、このカラーシートの上片と下片に切り欠き形成されて前記係止突起部が入り込む突起部切欠と、を有してなることを特徴とする家庭用収容箱の扉。
【請求項３】
家庭用収容箱の扉であって、この扉の扉本体の上面部と下面部に形成された係止突起部と、これら係止突起部に形成された傾斜面と、前記扉本体の正面側に配設される透視可能な扉カバーと、この扉カバーの裏面側に窪んで形成されると共に前記扉本体が嵌入される扉本体嵌入部と、この扉カバー体の上面部と下面部に形成されて前記扉本体の係止突起部が嵌入する突起部嵌入孔と、前記扉本体と扉カバーの間で前記扉本体と扉カバーに挟まれて配設されるカラーシートと、このカラーシートの上片部と下片部に切り欠き形成され前記係止突起部が入り込む突起部切欠と、を有してなることを特徴とする家庭用収容箱の扉。
【考案の詳細な説明】
【技術分野】
【０００１】
本考案は、郵便受箱等の家庭用収容箱の扉に関し、詳しくは家庭用収容箱の扉の色を家庭用収容箱の設置場所の景観や好み等に合わせてに自由に変えることができる家庭用収容箱の扉に関する。
【背景技術】
【０００２】
郵便受箱等の家庭用収容箱には開口部を開閉する扉が設けられている。
ところで、この扉は家庭用収容箱の箱本体に蝶番等の適宜手段を介して取り付けられているため、前記扉の色が家庭用収容箱の設置場所の景観に合わない場合等は工具を用いて前記扉を取り外して設置場所の景観に合った色の扉を工具を用いて取り付けている。
従って、扉自体を交換する必要があるため手間と時間がかかると共にコストが高くなるという不具合がある。
【考案の開示】
【考案が解決しようとする課題】
【０００３】
本考案は、上記事実に鑑みなされたものであり設置場所の景観等に合った色の扉に簡単かつ低コストで変えることができる家庭用収容箱の扉を提供するものである。
【課題を解決するための手段】
【０００４】
請求項１の考案は、家庭用収容箱の扉であって、この扉の扉本体の正面側に配設される透視可能な扉カバーと、この扉カバーの裏面側に窪んで形成されると共に前記扉本体が嵌入される扉本体嵌入部と、前記扉本体と扉カバーの間で前記扉本体と扉カバーに挟まれて配設されるカラーシートと、を有していることを特徴としている。
請求項２の考案は、家庭用収容箱の扉であって、この扉の扉本体の上面部と下面部に形成された係止突起部と、前記扉本体の正面側に配設される透視可能な扉カバーと、この扉カバーの裏面側に窪んで形成されると共に前記扉本体が嵌入される扉本体嵌入部と、この扉カバー体の上面部と下面部に形成されて前記扉本体の係止突起部が嵌入する突起部嵌入孔と、前記扉本体と扉カバーの間で前記扉本体と扉カバーに挟まれて配設されるカラーシートと、このカラーシートの上片と下片に切り欠き形成されて前記係止突起部が入り込む突起部切欠と、を有していることを特徴としている。
請求項３の考案は、家庭用収容箱の扉であって、この扉の扉本体の上面部と下面部に形成された係止突起部と、これら係止突起部に形成された傾斜面と、前記扉本体の正面側に配設される透視可能な扉カバーと、この扉カバーの裏面側に窪んで形成されると共に前記扉本体が嵌入される扉本体嵌入部と、この扉カバー体の上面部と下面部に形成されて前記扉本体の係止突起部が嵌入する突起部嵌入孔と、前記扉本体と扉カバーの間で前記扉本体と扉カバーに挟まれて配設されるカラーシートと、このカラーシートの上片部と下片部に切り欠き形成され前記係止突起部が入り込む突起部切欠と、を有していることを特徴としている。
【考案の効果】
【０００５】
本考案の家庭用収容箱の扉は、家庭用収容箱の設置場所の景観や好み等に合った色の扉に簡単かつ低コストで変えることができるという優れた効果を有する。
【考案を実施するための最良の形態】
【０００６】
考案を実施するために最良の形態の例として以下のような実施例を示す。
【実施例１】
【０００７】
図１には本考案の家庭用収容箱の扉の一実施例が示されている。なお、実施例では家庭用収容箱の扉として郵便受箱を用いた場合を例にして説明する。
図１に示されるように、家庭用収容箱としての郵便受箱の扉１０の扉本体１２は金属板を加工して箱状の郵便受箱本体（図示せず）に適宜手段により取り付けられるようになっている。この扉本体１２には錠前（図示せず）用の錠前用開口１４が形成されている。
また、前記扉本体１２の上面部２０と下面部２２には係止突起部２４，２４（下面部２２の係止突起部２４，２４は図示せず）が形成されている。これら係止突起部２４，２４には傾斜面２４Ａ，２４Ａがそれぞれ形成されている。
前記扉本体１２の正面側には合成樹脂材で形成された透視可能な扉カバー２６が配設されている。この実施例では扉カバー２６は透視可能なように乳半色が施されている。また、前記扉カバー２６の裏面側には扉本体嵌入部２８が窪んだ状態で形成され、前記扉本体１２が嵌入できるようになっている。
前記扉カバー２６の上面部３０と下面部３２には突起部嵌入孔３４，３４が貫通形成されている。これら突起部嵌入孔３４，３４には前記係止突起部２４，２４がそれぞれ嵌入できるようになっている。また、扉カバー２６にも錠前（図示せず）用の錠前用開口３６が貫通形成されている。
前記扉本体１２と扉カバー２６の間にはカラーシートとしてのカラーペーパー４０が配設されている。このカラーペーパー４０は適宜の色が施された紙で形成されている。また、このカラーペーパー４０の上片部４２と下片部４４には突起部切欠４６，４６が形成されている。
また、前記カラーペーパー４０にも錠前（図示せず）用の錠前用開口４８が貫通形成されている。
【０００８】
次に、前記郵便受箱の扉１０の作用について説明する。
この郵便受箱の扉１０を設置場所の景観に合う色に変えたい場合は設置場所の景観に合う色が施されたカラーペーパー４０を選んで、郵便受箱の扉本体１２の正面側に配設する。そして、前記カラーペーパー４０の突起部切欠４６，４６を前記扉本体１２の上面部２０と下面部２０に設けられた係止突起部２４，２４に対応させる。
最後に、前記カラーペーパー４０の正面側に前記扉カバー２６を配設して、扉本体１２を扉カバー２６の扉本体嵌入部２８に嵌入させる。この扉カバー２６の上面部３０と下面部３２に形成された突起部嵌入孔３４，３４には前記扉本体１２の上面部２０と下面部２２に形成された係止突起部２４，２４がそれぞれ嵌入するので、扉カバー２６は確実に扉本体１２に取り付けられる。なお、前記係止突起部２４，２４には傾斜部２４Ａ，２４Ａが形成されているのでスムーズに係止突起部２４，２４を突起部嵌入孔３４，３４に嵌入させることができる。
この郵便受箱の扉１０を正面側から見ると透明な扉カバー２６を通してカラーペーパー４０の色が見えることになる。
従って、前記扉本体１２と扉カバー２６の間にカラーペーパー４０を配設して扉本体１２を扉カバー２６に嵌め込むだけの極めて簡単な作業で郵便受箱の扉１０の色を簡単に変えることができる。
また、郵便受箱の扉１０の色を変えるのはカラーペーパー４０だけを変えるだけでよいので、低コストで済ませることができる。
【０００９】
なお、実施例では家庭用収容箱の扉として郵便受箱の扉１０を例にして説明したが、家庭用収容箱の扉は郵便受箱の扉１０に限定されるものでなく新聞受箱の扉等でもよいことは勿論である。
また、実施例では設置場所の景観によってカラーペーパー４０を変えたが好み等によってカラーペーパー４０を変えてもよいことは勿論である。
なお、実施例では扉カバー２６を透視可能な乳半色にしたが、扉カバー２６は透視可能でカラーペーパー４０を見ることができればよいので、扉カバー２６を透明にしたり半透明にしたりしてもよいことは勿論である。
また、実施例ではカラーシートとしてカラーペーパー４０を示したが紙以外でカラーシートを形成してもよいことは勿論である。
なお、前記カラーペーパー４０には絵や図形等を記載してもよいことは勿論である。
【図面の簡単な説明】
【００１０】
【図１】実施例の家庭用収容箱の扉の分解斜視図である。
【符号の説明】
【００１１】
１０    郵便受箱の扉
１２    扉本体
２０    上面部
２２    下面部
２４    係止突起部
２４Ａ  傾斜面
２６    扉カバー
２８    扉本体嵌入部
３０    上面部
３２    下面部
３４    突起部嵌入孔
４０    カラーペーパー
４２    上片部
４４    下片部
４６    突起部切欠
【図１】
0003113469.tif 000003